(57)【特許請求の範囲】
【請求項１】
シェルフにアナログ加入者回路（ＳＬＣ）とディジタル加入者回路（ＤＬＣ）とを混在させて搭載する場合において、
前記シェルフ内に、ネットワークとＳＬＣ及びＤＬＣとのインターフェイスを行なうＳＬＣコモン部と、
その一端がＳＬＣコモン部と接続され、他端がＤＬＣと接続され、ＤＬＣ専用信号の処理を行なうＤＬＣコントローラと、
を設け、
デジタル加入者回路に対する処理を、アナログ加入者回路と共通である音声処理と、Ｄチャネル処理に分け、
前記音声処理はアナログ加入者と同一のハードウェアであるＳＬＣコモン部を用いて処理し、それ以外の処理はＤＬＣ専用のハードウェアであるＤＬＣコントローラを用いて処理する、
ように構成したことを特徴とする加入者回路の収容システム。
【請求項２】
前記ＳＬＣコモン部と、ＤＬＣコントローラ間通信をＳＬＣ用の音声チャネルで行なうことを特徴とする請求項１記載の加入者回路の収容システム。
【発明の詳細な説明】
【０００１】
【発明の属する技術分野】
本発明は加入者回路を収容するシェルフにアナログ加入者回路（ＳＬＣ）とディジタル加入者回路（ＤＬＣ）を混在させて収容することができるようにした加入者回路の収容システムに関する。
【０００２】
【従来の技術】
交換機に収容される加入者は、大きく分けてアナログ加入者とディジタル加入者に分けられる。現在、交換機においては、殆どの加入者がアナログ加入者である。しかしながら、ここ数年はＩＳＤＮ（統合サービスディジタル網）を使用するディジタル加入者が増えている。
【０００３】
交換機では、アナログ加入者を収容するのに、ＢＯＲＳＣＨＴ機能を持つ加入者回路（ＳＬＣ）と、その制御を行なうＳＬＣコモン部と、それを接続するバックワイヤリングボード（ＢＷＢ）が必要であり、これらをＳＬＣシェルフ（ＳＬＣＳＨ）として１つにまとめている。
【０００４】
ここで、ＢＯＲＳＣＨＴ機能とは、加入者回路に必要な機能の頭文字をとったものであり、Ｂ（Ｂａｔｔｅｒｙ  ｆｅｅｄ：バッテリー供給）、Ｏ（Ｏｖｅｒｖｏｌｔａｇｅ：過電圧）、Ｒ（Ｒｉｎｇｉｎｇ：リンギング）、Ｓ（Ｓｕｐｅｒｖｉｓｉｏｎ：管理）、Ｃ（Ｃｏｄｅｃ：コーデック）、Ｈ（Ｈｙｂｒｉｄ：ハイブリッド）、Ｔ（Ｔｅｓｔｉｎｇ：試験）の頭文字をとったものである。
【０００５】
図８は従来のシェルフの装着例を示す図である。図において、１０がシェルフであり、その両端には電源パッケージ１が装着され、それぞの電源パッケージは０系と１系のパッケージにパワーを供給する。２は加入者回路（ＳＬＣ）、３はＳＬＣコモン部である。ＳＬＣコモン部は二重化されており、２枚搭載される。
【０００６】
図９は従来のシェルフの電気的構成例を示すブロック図である。図８と同一のものは、同一の符号を付して示す。ＳＬＣコモン部３は二重化されており、このＳＬＣコモン部３にＳＬＣ２が接続されている。４はＳＬＣ２と接続される加入者端末である。この加入者端末４は、アナログ信号で動作する端末である。図の場合は、加入者端末４が電話機であり、加入者と交換機間でやり取りされる信号は音声である場合を示している。
【０００７】
５はバックワイヤリングボード（ＢＷＢ）であり、図８に示すシェルフの後部にマザーボードプリント板があり（図示せず）、このプリント板上でＢＷＢのパターン配線が行われている。６はＳＬＣコモン部３とＳＬＣ２間のインターフェィスである。
【０００８】
加入者がディジタル加入者である場合も、同様にディジタル加入者回路（ＤＬＣ）、ＤＬＣコモン部、ＢＷＢをシェルフとして１つにまとめたものが必要となる。
【０００９】
【発明が解決しようとする課題】
一般的に、ＳＬＣとＤＬＣとは機能の違いが大きく、加入者回路、コモン部、ＢＷＢ、シェルフを共用することはコスト面でかなり困難であった。一方、交換機を使用する顧客の要望としては、アナログ加入者がディジタル加入者に切り替わることで、今まで使用されていたアナログ加入者用のＳＬＣコモン部が無駄になることが起きないようにしたいということがある。
【００１０】
本発明はこのような課題に鑑みてなされたものであって、アナログ加入者回路とディジタル加入者回路とが混在することができる加入者回路の収容システムを提供することを目的としている。
【００１１】
【課題を解決するための手段】
（１）図１は本発明の原理ブロック図である。図９と同一のものは、同一の符号を付して示す。図において、１０はシェルフ、３は該シェルフ１０内に設けられたＳＬＣコモン部である。図では、ＳＬＣコモン部３が二重化されているが、必ずしも二重化される必要はない。該ＳＬＣコモン部３は、ネットワークとシェルフ１０間の信号をインターフェィスする機能を持つ。
【００１２】
シェルフ１０はネットワーク（図示せず）と接続されている。２はＳＬＣコモン部３と接続されるアナログ加入者回路（ＳＬＣ）、６はシェルフ１０内に装着されるディジタル加入者回路（ＤＬＣ）、２０は該ＤＬＣ６と接続され、ＤＬＣ専用信号の処理を行なうＤＬＣコントローラである。４ａはＳＬＣ２と接続される加入者端末、４ｂはＤＬＣ６と接続される加入者端末である。
【００１３】
図では、ＤＬＣコントローラ２０は二重化されているが、必ずしも二重化される必要はない。該ＤＬＣコントローラ２０は、ＩＳＤＮのＤチャネルを使用してＤＬＣ６と接続される。７はＳＬＣコモン部３と、ＤＬＣコントローラ２０，ＤＬＣ６，ＳＬＣ２間を接続するバックワイヤリングボード（ＢＷＢ）である。８はＳＬＣコモン部３と、ＤＬＣコントローラ２０，ＳＬＣ２，ＤＬＣ６間をつなぐインターフェィスである。なお、図示されていないが、ＳＬＣ２に対してもＤチャネルは配線されている。シェルフにＳＬＣ２とＤＬＣ６を自由に装着できるようにするためである。
【００１４】
ここで、Ｄチャネルとは、以下のような機能を可能とするための制御信号である。
▲１▼オペレータを通さず直接内線へ着信する
▲２▼着信先の通信機器等を指定する番号
▲３▼端末と端末間でデータ転送（１２８バイト単位）を伝達する
▲４▼電話番号等の情報を検索する
本発明では、アナログ加入者とディジタル加入者で共通に要求される機能をサポートするＳＬＣコモン部３を設けた。ここで、ＳＬＣコモン部３とは、ネットワークとシェルフ１０間の信号をインターフェィスする部分である。
【００１５】
アナログ加入者は主に音声処理だけであるが、ディジタル加入者は音声処理とＤチャネルの信号を終端する必要があり、プロセッサを用いてディジタル処理を行なうことが必要となる。
【００１６】
そこで、ディジタル加入者に対する処理を、アナログ加入者と共通である音声処理と、Ｄチャネル処理に分け、音声処理はアナログ加入者と同一のハードウェア（ＳＬＣコモン部３）を用いて処理し、それ以外の処理をＤＬＣ専用のハードウェア（ＤＬＣコントローラ２０）を用いて処理することとする。
【００１７】
シェルフ１０がアナログ加入者（ＳＬＣ）のみの構成であれば、ＤＬＣコントローラ２０は必要ではなく、ＳＬＣコモン部３のみで処理が可能となり、ＤＬＣ６が必要となれば、ＳＬＣコモン部３とＤＬＣコントローラ２０の両方でＤＬＣ６の制御を行なうものである。
【００１８】
本発明によれば、図２に示すようにＳＬＣとＤＬＣを混在させることができる。図２は本発明によるシェルフの装着例を示す図である。図において、図１，図８と同一のものは、同一の符号を付して示す。この装着例では、図８におけるＳＬＣ１５とＳＬＣ３０の位置にＤＬＣコントローラ２０が装着され、二重化システムを構成している。そして、ＳＬＣ１５とＳＬＣ３０を除く任意の位置にＳＬＣ２とＤＬＣ６とを装着することができる。
【００１９】
なお、シェルフ１０がアナログ加入者回路（ＳＬＣ）２のみの構成であれば（図８参照）、ＤＬＣコントローラ２０は必要ではなく、ＳＬＣコモン部３のみで処理が可能となる。若し、ＤＬＣが必要となれば、ＳＬＣコモン部３とＤＬＣコントローラ２０の両方でＤＬＣ６の制御を行なうことになる。
【００２０】
この発明の構成によれば、アナログ加入者とディジタル加入者で共通に要求される機能をサポートするＳＬＣコモン部３を設け、ディジタル加入者（ＤＬＣ）６については、アナログ加入者と共通である音声処理と、Ｄチャネル処理に分け、音声処理はアナログ加入者と同一のハードウェアであるＳＬＣコモン部３を用いて処理し、それ以外の処理はＤＬＣ専用のハードウェアであるＤＬＣコントローラ２０を用いて処理することにより、アナログ加入者回路とディジタル加入者回路とが混在することができる加入者回路の収容システムを提供することができる。
【００２１】
（２）また、前記ＳＬＣコモン部３と、ＤＬＣコントローラ２０間通信をＳＬＣ用の音声チャネルで行なうことを特徴としている。
この発明の構成によれば、ＤＬＣコントローラ用スロットにＳＬＣも搭載することが可能となる。
【００２３】
【発明の実施の形態】
以下、図面を参照して本発明の実施の形態例を詳細に説明する。
先ず、図１を用いて、本発明の動作について説明する。ＤＬＣ６は、ディジタル加入者との信号を音声信号とＤチャネル信号に分け、音声信号をアナログ加入者が使用する音声チャネルと同じデータ収容位置を使用してＳＬＣコモン部３とインターフェィスを行なう。この結果、ＳＬＣコモン部３は、ＤＬＣ６を意識せずにＳＬＣ２と同じ音声処理を行えばよく、つまり加入者種別（ディジタル／アナログ）を意識せずに処理を行なうことができ、コストインパクト無しにＤＬＣ６の音声チャネル制御が可能となる。
【００２４】
また、ＤＬＣ６特有のＤチャネル信号は、ＤＬＣコントローラ２０とＤＬＣ６間で専用線（Ｄチャネル専用インターフェィス９）を使用して制御を行なう。ＤＬＣ６は、ＳＬＣコモン部３とＤＬＣコントローラ２０が搭載された場合に制御可能とする構成となっている。そして、ＳＬＣコモン部３は、音声パートを制御し、ＤＬＣコントローラ２０はＤＬＣ６に対するＤチャネル制御信号を処理する。
【００２５】
また、ＤＬＣ６はＳＬＣ２と同期がとれており、同じタイミングで動作する。ＤＬＣ６，ＳＬＣ２が使用するタイミングは、ＳＬＣコモン部３にて作成される。ＳＬＣコモン部３とＤＬＣ６，ＤＬＣコントローラ２０のタイミングを合わせることで、ＢＷＢ７のタイミング線を増やすことや、ＤＬＣ６の中で２つのタイミングを従わせるための機能回路追加が不要となり、コストの低減ができる。
【００２６】
また、ＤＬＣコントローラ２０は、交換機本体のプロセッサに従って動作するので、ＤＬＣコントローラ２０は交換機本体と通信を行なわなければならない。そこで、交換機からＤＬＣコントローラ２０への信号は、ＳＬＣの音声チャネルと同一収容部分を使用して通信を行なう。
【００２７】
このような構成とすることにより、ＳＬＣコモン部３は、ＤＬＣコントローラ２０をＳＬＣ２と同様に扱うことが可能となる。従って、ＤＬＣ６がシェルフ１０に搭載されておらず、ＳＬＣ２のみの構成ならば、ＤＬＣコントローラ２０の搭載位置にもＳＬＣを搭載することができ、シェルフのスロットが無駄にならない。また、
図３は本発明による信号の接続状態を示す図である。図１と同一のものは、同一の符号を付して示す。二重化されたＳＬＣコモン部３には、アナログ加入者回路（ＳＬＣ）２と、ディジタル加入者回路（ＤＬＣ）６と、ＤＬＣコントローラ２０が接続されている。
【００２８】
ＳＬＣコモン部３と、ＳＬＣ２、ＤＬＣ６、ＤＬＣコントローラ２０間は、それぞれＣ２Ｍｘｘ，ＭＦＣＫｘｘ，ＤＳＨＷｘｘ，ＵＳＨＷｘｘの４本で接続されている。それぞれのＳＬＣへ行く信号線は、物理的に異なる線であり、区別する意味でＣ２Ｍ０１〜Ｃ２Ｍ３０，ＭＦＣＫ０１〜ＭＦＣＫ３０，ＤＳＨＷ０１〜ＤＳＨＷ３０，ＵＳＨＷ０１〜ＵＳＨＷ３０と呼ばれる。
【００２９】
ＤＬＣコントローラ２０とＳＬＣ２，ＤＬＣ６間は、それぞれＤＣＤＨＷｘｘ，ＵＣＤＨＷｘｘの２本で接続されている。それぞれの信号は、ＤＣＤＨＷ０１〜ＤＣＤＨＷ２９，ＵＣＤＨＷ０１〜ＵＣＤＨＷ２９（それぞれ１５は除く）と呼ばれる。
【００３０】
ＤＳＨＷｘｘには、ネットワークからＳＬＣ２へ行く音声とＳＬＣ用制御ビット（ＳＤ）が含まれている。ＵＳＨＷｘｘには、ＳＬＣ２からネットワークへ行く音声とＳＬＣの状態信号ビット（ＳＣＮ）が含まれている。ＤＣＤＨＷｘｘには、ネットワークからＤＬＣ６に対する制御ビットが含まれている。また、ＵＣＤＨＷｘｘには、ＤＬＣ６からネットワークへの状態通知ビットが含まれている。
【００３１】
図４，図５はＳＬＣのデータ収容の説明図であり、ＳＬＣ搭載スロットで使用されるインターフェィス８を示す。例としてＳＬＣ０１と、ＳＬＣ０８の２つのＳＬＣの動作を示す。図４と図５は▲１▼，▲２▼，▲３▼の点でつながっている。
【００３２】
図４において、（ａ）は２ＭＨｚのクロック、（ｂ），（ｃ）のＭＦＣＫはデータの先頭を決めるクロック、（ｄ），（ｅ）のＤＳＨＷはネットワークからＳＬＣ（又はＤＬＣ）へ行くデータ、ＵＳＨＷはＳＬＣ（又はＤＬＣ）からネットワークへ行くデータである。ＭＦＣＫクロックは、１６回に１回２Ｍ２周期となる。その理由は、１６フレーム単位の区切りを示すためである。
【００３３】
図５において、（ｆ）以降は（ａ）から（ｅ）までの情報の拡大図である。（ｆ）は２ＭＨｚのクロック、（ｇ）はＳＬＣ０１のデータの先頭を決めるクロックであるＭＦＣＫＷ、（ｈ）はＤＳＨＷはＳＬＣ０１のネットワークからＳＬＣ（又はＤＬＣ）へ行くデータ、（ｉ）のＵＳＨＷはＳＬＣ０１のＳＬＣ（又はＤＬＣ）からネットワークへ行くデータである。（ｊ）はＳＬＣ０８のＭＦＣＫ、（ｋ）はＳＬＣ０８のＤＳＨＷ、（ｌ）はＳＬＣ０８のＵＳＨＷである。
【００３４】
ＭＦＣＫ，ＵＳＨＷ，ＤＳＨＷ，ＵＳＨＷはＳＬＣ０１とＳＬＣ０２のそれぞれの情報を示す。
図に示すＤ／ＵＳＨＷは音声，制御信号が通るハイウェイであり、フレーム構成をとっている。信号は８ビットを１つの単位として、タイムスロット（ＴＳ）を構成し、２個のＴＲを１回路（１ＣＣＴ）で使用している。３２個のＴＳを１つの単位として１フレームとする。１フレームは１２５μｓｅｃである。
【００３５】
一方、ＳＬＣ２は１枚のパッケージに１６回路を搭載しており、Ｄ／ＵＳＨＷ信号は１フレーム間に１６回路分の音声と制御信号の送受を行なう。ＤＳＨＷ（Ｄｏｗｎ  Ｓｈｅｌｆ  Ｈｉｇｈ  Ｗａｙ）は、交換機本体からＳＬＣ２へ向かう音声と制御信号の入ったＨＷ（ハイウェイ）であり、偶数番号のＴＳを使用して音声を、奇数番号のＴＳを使用して制御信号を送っている。なお、ＴＳ０，ＴＳ１の２個をＳＬＣ２に搭載されている０回線目が使用し、順次ＴＳ３０，ＴＳ３１を１５回線目が使用することになる。
【００３６】
音声信号は、８ビットのＰＣＭであり、制御信号は４ビットのＳＤ信号，２ビットのＨＫ及び２ビットのＰＬＴ信号よりなる。ＳＤ信号は、電話端末４に対してベルを鳴らす指示や、課金信号を送る等の制御信号である。例えばＳＤa はリンギングの有無を通知するビット、ＳＤbはテスト引き込みの有無を通知するビットであり、ＳＤcは極性反転の有無を通知するビットであり、ＳＤdは課金の有無の通知ビットである。
【００３７】
ＨＫ（Ｈｏｕｓｅ  Ｋｅｅｐｉｎｇ）信号は、ＳＬＣ内部のロス設定等のＳＬＣ２の内部状態制御信号である。ＰＬＴ（Ｐｉｌｏｔ）信号は、信号線のスタック監視のため、ＰＬＴ０ビットは“０”固定に、ＰＬＴ１ビットは“１”固定に設定されている。
【００３８】
なお、制御信号であるＳＤとＨＫは負極性信号である。ここで、負極性とは、“Ｌ”又は“０”レベルの時に意味のあるビットとなることを示す。
図に示すように、ＳＬＣ０１のタイムスロットＴＳ０は音声チャネルであり、ｂｉｔ１〜ｂｉｔ８までの８ビットで構成される。ＳＬＣ０１のタイムスロットＴＳ１は制御チャネルであり、前述したＳＤ４ビット，ＨＫ２ビット，ＰＬＴ２ビットより構成される。
【００３９】
一方、ＳＬＣ２からネットワークへ送出するデータの場合の制御ビットには、ＳＣＮが用いられる。そして、ＵＳＨＷ０１は、ＤＳＨＷ０１に比較して２ＭＨｚの１ビット分遅れている。その理由は、例えばＳＬＣと同一機能のテスト治具を作る場合、同じ時間でデータを折り返すことは不可能なためである。
【００４０】
一方、ＳＬＣ０８の方は、ＳＬＣ０１のＴＳ０に対応するタイムスロットにＴＳ３１が来て、ＳＬＣ０１のＴＳ１に対応するタイムスロットにＴＳ０が来ている。
【００４１】
このように、ＳＬＣのデータを収容する場合には、ＤＬＣとは全く関係なく、１チャネルあたり音声チャネル８ビットと、制御チャネル８ビットの情報を、ＳＬＣ２から交換機へ、又は交換機からＳＬＣ２へ伝送することにより、正常な動作を行なうことができる。
【００４２】
図６，図７は本発明によるＤＬＣのデータ収容の説明図で、ＤＬＣ搭載スロットで使用されるインターフェィス８を示す。図４，図５と同一のものは、同一の符号を付して示す。図６と図７は、▲１▼，▲２▼，▲３▼の点でつながっている。
【００４３】
図６において、（ａ）は２ＭＨｚのクロック、（ｂ），（ｃ）のＭＦＣＫはデータの先頭を決めるクロック、（ｄ），（ｅ）のＤＳＨＷはネットワークからＳＬＣ（又はＤＬＣ）へ行くデータ、ＵＳＨＷはＳＬＣ（又はＤＬＣ）からネットワークへ行くデータである。ＭＦＣＫクロックは、１６回に１回２ＭＨｚ２周期となる。
【００４４】
図７において、（ｆ）以降は（ａ）から（ｅ）までの情報の拡大図である。（ｆ）は２ＭＨｚのクロック、（ｇ）はＳＬＣ０１のデータの先頭を決めるクロックであるＭＦＣＫＷ、（ｈ）のＤＳＨＷはＳＬＣ０８のネットワークからＳＬＣ（又はＤＬＣ）へ行くデータ、（ｉ）のＵＳＨＷはＳＬＣ０８のＳＬＣ（又はＤＬＣ）からネットワークへ行くデータである。（ｊ）は、ＳＬＣ０８のＤＳＨＷ、（ｋ）はＳＬＣ０８のＵＳＨＷである。
【００４５】
ここでは、ＤＬＣ０８のデータ収容の様子を示している。ＤＬＣの場合には、データはＳＬＣの音声チャネルを用いて転送を行ない、制御情報はＤＬＣコントローラ２０からＤチャネルを用いてＤＬＣ０８との間で制御信号のやりとりを行なう。しかも、タイムスロット（ＴＳ）の偶数番目のＴＳで音声チャネルを用いてデータを転送し、奇数チャネルを用いて制御情報を転送する。
【００４６】
ＤＬＣ０８では、ＤＳＨＷ，ＵＳＨＷでは、音声信号しか扱わない。従って、図４，図５では存在したＳＤ，ＳＣＮ，ＨＫ信号は存在しない。但し、ＤＳＨＷ，ＵＳＨＷのスタック監視は必要であり、ＰＬＴ０，ＰＬＴ１は存在する。図中（ｈ）には、ＰＬＴ０＝０，ＰＬＴ１＝１状態であることを示す。
【００４７】
図中、ＵＳＨＷ０１がＤＳＨＷ０１に比較して１ビット遅れているのは、同じ時間に折り返すことが不可能なためである。
また、ＤＬＣ６に対する制御信号（図４，図５のＳＤ，ＳＣＮ，ＨＫ対応）は、ＤＬＣコントローラ２０（図１参照）から別線であるＤＣＤＨＷ、ＵＣＤＨＷにて扱われる。
【００４８】
以上、詳細に説明したように、本発明によれば、
（１）シェルフにアナログ加入者回路（ＳＬＣ）とディジタル加入者回路（ＤＬＣ）とを混在させて搭載する場合において、前記シェルフ内に、ネットワークとＳＬＣ及びＤＬＣとのインターフェィスを行なうＳＬＣコモン部と、その一端がＳＬＣコモン部と接続され、他端がＤＬＣと接続され、ＤＬＣ専用信号の処理を行なうＤＬＣコントローラとを設けることにより、
アナログ加入者とディジタル加入者で共通に要求される機能をサポートするＳＬＣコモン部を設け、ディジタル加入者（ＤＬＣ）については、アナログ加入者と共通である音声処理と、Ｄチャネル処理に分け、音声処理はアナログ加入者と同一のハードウェアであるＳＬＣコモン部を用いて処理し、それ以外の処理はＤＬＣ専用のハードウェアであるＤＬＣコントローラを用いて処理することにより、アナログ加入者回路とディジタル加入者回路とが混在することができる加入者回路の収容システムを提供することができる。
【００４９】
（２）また、前記ＳＬＣコモン部と、ＤＬＣコントローラ間通信をＳＬＣ用の音声チャネルで行なうことにより、
ＤＬＣコントローラ用スロットにＳＬＣも搭載することが可能となる。
【００５１】
以上、説明したように、本発明によれば、アナログ加入者回路とディジタル加入者回路とが混在することができる加入者回路の収容システムを提供することができる。
【図面の簡単な説明】
【図１】本発明の原理ブロック図である。
【図２】本発明によるシェルフの装着例を示す図である。
【図３】本発明による信号の接続状態を示す図である。
【図４】ＳＬＣのデータ収容の説明図である。
【図５】ＳＬＣのデータ収容の説明図である。
【図６】ＤＬＣのデータ収容の説明図である。
【図７】ＤＬＣのデータ収容の説明図である。
【図８】従来のシェルフの装着例を示す図である。
【図９】従来のシェルフの電気的構成例を示すブロック図である。
【符号の説明】
２  アナログ加入者回路（ＳＬＣ）
３  ＳＬＣコモン部
４ａ  加入者端末
４ｂ  加入者端末
６  ディジタル加入者回路（ＤＬＣ）
１０  シェルフ
２０  ＤＬＣコントローラ
【図１】
0003872156.tif 000002
【図２】
0003872156.tif 000003
【図３】
0003872156.tif 000004
【図４】
0003872156.tif 000005
【図５】
0003872156.tif 000006
【図６】
0003872156.tif 000007
【図７】
0003872156.tif 000008
【図８】
0003872156.tif 000009
【図９】
0003872156.tif 000010